(57)【要約】  回転するレコードの溝内のスタイラスの位置決定を助けるセンサを含む装置。スタイラスの位置は、溝内の一意の位置に存在するオーディオ波形の一部分に対応する。スタイラスの位置とオーディオ波形の部分との対応を使用して、外部ディジタル供給源をアナログ波形と同期させることができる。高速ディジタルデータ経路が、ターンテーブルプラッタを含む制御ユニットを信号処理ユニットに接続する。信号処理ユニット内のソフトウェアが、アナログ波形と外部ディジタル供給源からのディジタル信号とを同期させる。
2008533632.tif 000002
【特許請求の範囲】
【請求項１】
アナログオーディオ波形を生成可能なアナログ信号供給源と、前記アナログオーディオ波形を生成するアナログ信号供給源アセンブリとの空間的関係に関連する位置データを生成する位置エンコーダと、
前記位置データに対応するレートで前記アナログオーディオ波形をサンプリングし、外部ディジタル信号を出力する信号処理ユニットであって、前記位置データが、前記外部ディジタル信号の出力を制御する、信号処理ユニットと
を含む、信号処理装置。
【請求項２】
前記アナログ信号供給源アセンブリは、更に、
スタイラスと、
前記スタイラスに結合された少なくとも１つの変換器と
を含み、前記信号供給源と前記アナログ信号供給源アセンブリとの前記関係が、前記アナログ信号供給源に対する前記スタイラスの位置を示す空間的関係を含む、請求項１に記載の信号処理装置。
【請求項３】
回転可能な表面の速度を判定する速度センサを含み、前記判定された速度が、前記サンプリングされたアナログオーディオ波形の部分に関連する、請求項１に記載の信号処理装置。
【請求項４】
前記速度センサが前記回転可能な表面の上に配置される、請求項３に記載の信号処理装置。
【請求項５】
前記速度センサが前記回転可能な表面の下に配置される、請求項３に記載の信号処理装置。
【請求項６】
前記回転可能な表面が前記アナログ信号供給源アセンブリのスピンドルを中心に回転可能である、請求項３に記載の信号処理装置。
【請求項７】
前記速度センサが前記スピンドルに結合される、請求項６に記載の信号処理装置。
【請求項８】
前記アナログ信号供給源アセンブリがプラッタを含み、前記プラッタが、前記回転可能な表面を含み、前記速度センサが前記プラッタに結合される、請求項３に記載の信号処理装置。
【請求項９】
前記速度センサが光学スキャナを含む、請求項３に記載の信号処理装置。
【請求項１０】
前記速度センサが磁気スキャナを含む、請求項３に記載の信号処理装置。
【請求項１１】
前記速度センサがローラーアセンブリを含む、請求項３に記載の信号処理装置。
【請求項１２】
アナログ波形とディジタル波形の処理方法であって、
アナログ波形を生成することと、
前記生成されたアナログ波形の部分に関連する位置データを生成することと、
ディジタル波形を供給すること及びアナログ波形を生成することを独立に実行してディジタル波形を供給することと、
前記位置データに基づいて前記ディジタル波形を出力することと
を含む方法。
【請求項１３】
前記生成されたアナログ波形をサンプリングすることを更に含む、請求項１２に記載のアナログ波形とディジタル波形の処理方法。
【請求項１４】
前記ディジタル波形の少なくとも１つの部分を前記サンプリングされたアナログ波形の少なくとも１つの部分と同期させることを更に含む、請求項１３に記載のアナログ波形とディジタル波形の処理方法。
【請求項１５】
前記生成されたアナログ波形を前記位置データに対応するレートでサンプリングすることを更に含む、請求項１３に記載のアナログ波形とディジタル波形の処理方法。
【請求項１６】
前記アナログ波形を生成することが、表面を回転させることを更に含む、請求項１２に記載のアナログ波形とディジタル波形の処理方法。
【請求項１７】
前記位置データを生成することは、前記回転する表面の速度を判定することを更に含む、請求項１６に記載のアナログ波形とディジタル波形の処理方法。
【請求項１８】
前記ディジタル波形を出力することが、更に前記回転する表面の前記速度に基づく、請求項１７に記載のアナログ波形とディジタル波形の処理方法。
【請求項１９】
前記ディジタル波形を出力することが、更に前記生成された周期信号に基づく、周期信号を生成すること
を更に含む、請求項１０に記載のアナログ波形とディジタル波形の処理方法。
【発明の詳細な説明】
【発明の開示】
【０００１】
本願は、２００５年２月１日出願の米国特許出願第１１／０４６７６１号の利益を主張するものであり、この特許出願は、完全に本明細書に記載されているものとしてその全体を参照により本明細書に包含する。
【０００２】
（発明の背景）
（発明の分野）
本発明は、ユーザによって選択された表面上の位置を検出し、検出された位置に対する情報に基づいてディジタル供給源を操作するシステム及び方法に関する。
【０００３】
（関連技術の説明）
アナログデバイスを操作するためにディスクジョッキー（ＤＪ）によって使用される技術はほぼ共通である。そのような技術の目標は、通常、少なくとも２つのデバイスの間で信号（例えば、オーディオ、ビデオ等）をロック又は同期させることを伴う。これまでに、ＤＪに関して最も人気のあるアナログデバイスは、アナログビニールレコードから音声を作ることができるアナログレコードターンテーブルである。最近、コンパクトディスク（ＣＤ）からディジタル化されたアナログ音声を作ることができるＣＤプレイヤがＤＪによって受け入れられ、使用されるようになってきた。しかし、ＣＤプレイヤの操作は、従来のアナログターンテーブルほど簡単には達成されない。
【０００４】
長年に亘り、アナログターンテーブルを操作するようにＣＤプレイヤを操作する複数の技術が提案されている。そのような技術の１つは、トラッキング情報を導出するために使用される、ビニールアナログレコードに埋め込まれたタイムコードの使用を伴う。従来のアナログターンテーブルを用いてビニールアナログレコードを「再生する」ことによって、それに埋め込まれたタイムコードを読み取り、ＣＤプレイヤ等の外部ディジタル音源と同期させるのに使用することができる。しかし、この技術を実施する際に、ビニールレコードが再生されている間及び従来のレコードプレイヤが操作されている時に待ち時間が有害に導入され、システムの応答性が劣化する。更に、ビニールレコードに埋め込まれたアナログタイムコードは経時的に摩耗する可能性があり、これによって値段の高い交換ビニールレコードが必要になる。ビニールレコードが交換されない場合、誤りのある再生挙動が生じる。最後に、通常のビニールレコード（タイムコードが埋め込まれていないビニールレコード）が前述のシステムを使用して再生される時、ＤＪは、ディジタル供給源（例えば、音源）を制御及び操作することができない。
【０００５】
従来のスリップマットは、ターンテーブルプラッタが回転している時に、ユーザが効果的にレコードのキュー、ビートマッチ、スクラッチ等を行うことを可能にする。スリップマットは、ターンテーブルプラッタが通常の速さで回転している時にレコードをつかむのに丁度十分な摩擦をもたらす。スリップマットは、通常、ターンテーブルプラッタが回転し続けている間に所定の力がレコードに加えられる時、回転を停止する。所定の力がレコードから除去されると、スリップマットはターンテーブルプラッタをつかみ、回転を再開する。スリップマットを形成する材料の種類に応じて、異なるスリップマットは、レコードのキュー、ビートマッチ、スクラッチ等を行うために異なる力の印加を必要とする場合がある。異なるユーザは、様々な活動について異なるスタイル及び好みを有するので、任意の１人のユーザが異なる目的でレコードに異なる大きさの圧力を加える場合があると仮定すると、いずれの従来のスリップマットもが、ユーザの全ての要求を適当に満足することはできない。
【０００６】
最後に、従来のアナログターンテーブルは、ユーザがアナログレコードを操作することだけを可能にする。従来のアナログターンテーブルでは、ユーザは、ディジタル媒体に格納されたオーディオファイルが出力される形を制御し、操作することができない。
【０００７】
本発明の原動力となったのは、従来の音声操作技術に関するこれらの問題の理解及び認識であった。
【０００８】
（発明の要約）
従って、本発明は、関連技術の制限及び不利益に起因する問題のうちの１つ又は複数を実質的に除去する、表面上の位置に固有の情報を外部供給源と同期させる方法及びシステムを対象とする。
【０００９】
本発明の利点は、ユーザ、例えばＤＪが、既存ビニールレコードを再生できるアナログ制御ユニットを介して、オーディオディジタル媒体及びビデオディジタル媒体を制御できることである。
【００１０】
本発明のもう１つの利点は、所定の曲に関係付けられた情報をユーザに供給することである。この情報は、ユーザが、ビニールレコードをディジタル供給源に１回だけ同期化し、それを将来の使用のために格納することを可能にする。
【００１１】
本発明の原理によれば、トラッキング情報は、ビニールレコード内に埋め込まれたタイムコードから供給されるのではない。そうではなく、トラッキング情報は、制御ユニットから入手される寸法情報から計算することができる。この寸法情報は、ビニールレコードの溝内のアナログターンテーブルからのスタイラスの実際の位置に関係する。
【００１２】
従って、本発明のシステムは、溝内のスタイラスの微小ですばやい動き、並びにスタイラスが既存レコード上に垂直に配置される任意の位置を追跡する。本発明はまた、ビニールレコードを介してディジタル供給源を操作する既存の方法の制御（微調整）を更に安定化させる。更に、ユーザは、任意の点で既存ビニールレコードの再生を開始でき、タイムコードが追い付いて外部ディジタル供給源とロックするまで時間を浪費しなくて済む。
【００１３】
本発明の他の特徴及び利点は、以下の説明で示され、一部はこの説明から明白になるか、或いは本発明の実践によって習得することができる。本発明の目的及び他の利点は、以下の説明及び特許請求の範囲、並びに添付図面で具体的に指摘される構造によって実現及び達成される。
【００１４】
上記及び他の利点を達成するため、実施され、且つ広義に説明されるように、本発明の目的に従って、表面上の位置に固有の情報をディジタル供給源と同期させる装置は、ピンと、アームを介してピンにピボット回転可能に結合され、スタイラスから第１の所定の距離に配置されるスタイラスと、アームの位置に関連する位置データを生成する位置エンコーダと、スタイラスに結合され、アームの位置に関連するアナログ電気信号を生成できるアナログ信号供給源と、ディジタル信号、位置データ、及びアナログ電気信号を受け取り、ディジタル信号を出力する信号処理ユニットとを含み、位置データは、ディジタル信号の出力を制御する。
【００１５】
本発明の別の態様では、アナログ信号及びディジタル信号を処理する方法は、アナログオーディオ波形を生成することと、生成されたアナログオーディオ波形の部分に関連する位置データを生成することと、ディジタル信号を供給することと、位置データに基づいてディジタル信号を出力することとを含む。
【００１６】
前述の全般的な説明と次の詳細な説明は共に、例示的且つ説明的なものであり、請求の範囲に規定される発明の更なる説明を提供することを意図している。
【００１７】
添付図面は、本発明の理解を深めるために含まれ、本明細書に組み込まれ、本明細書の一部を構成しており、本発明の実施形態を示し、この説明と共に、本発明の原理を説明する。
【００１８】
（図示の実施形態の詳細な説明）
以下に、本発明の実施形態に詳細に言及するが、これらの実施形態の例が、添付図面に示されている。
【００１９】
図１に、アナログ信号供給源（例えば、ビニールアナログオーディオレコード）の表面上の位置に固有のオーディオ情報を少なくとも１つのディジタル外部データ供給源と同期化させ、同期させた情報を少なくとも１つのディジタル外部データ供給源と同時に出力する装置の全体を示す。
【００２０】
本発明の原理によれば、同期化は、２つの関連するプログラム材料を時間的に一緒にロックした状態に保つ処理と解釈することができる。同期化は、マスタデバイスによって作られる信号が、スレーブデバイスによって作られる信号を制御することを必要とする。従って、マスタデバイスからの信号は、スレーブデバイスからいつどれ位の速さで信号を出力しなければならないかを決定する。従って、マスタデバイスによって出力される信号の変化は、スレーブデバイスによって出力される信号の変化として反映される。
【００２１】
図１に示すように、マスタデバイスは、データプロセッサユニット２００を介して外部ディジタルデータ供給源３００等の少なくとも１つのスレーブデバイスに結合されたコントローラユニット１００、例えばターンテーブルユニットとして特徴付けることができる。本発明の一態様によれば、コントローラユニット１００及びデータプロセッサユニット２００は、物理的に別々のデバイスとして特徴付けることができる。しかし、本発明の代替的態様によれば、コントローラユニット１００及びデータプロセッサユニット２００を、単一の一体式デバイス内に組み込むことができる。
【００２２】
本発明の一態様では、コントローラユニット１００及びデータプロセッサユニット２００を使用してレコードの溝内のスタイラス（例えば、針）の位置即ち針位置を判定することにより、レコード上の所定の位置に固有のアナログオーディオ波形を、外部ディジタルデータ供給源からの信号と同期させることができる。データプロセッサユニット２００は、針位置を、サンプリングされたオーディオ波形の一部分に関連する対応情報と突き合わせることができる。次に、突き合わされた針位置を、例えば外部ディジタルデータ供給源のディジタル信号の一部分と関連付けることができる。従って、アナログレコードからの音声を、少なくとも１つの外部ディジタルデータ供給源のディジタル信号と同時に出力することができる。
【００２３】
本発明の別の態様では、コントローラユニット１００上の出力ポート１０２を、データプロセッサユニット２００上の対応するＳＣＳＩ、ＵＳＢ、又は他の適切な種類のポート２０２に結合し、ディジタル化されたオーディオ信号及びトラック内針位置を判定する際に有用な情報をコントローラユニット１００からデータプロセッサユニット２００に通信することができる。コントローラユニット１００上のアナログオーディオ出力ポート１０４を、スピーカ等の外部出力デバイス４３０上の対応するポートに結合し、レコード上の位置に対応するオーディオ信号と同期化されたオーディオ信号を出力することができる。データプロセッサユニット２００上の、例えばモデム、シリアル、パラレル、ＤＳＬ、Ｔ１等の通信ポートを、例えばディジタルオーディオ情報又はディジタルビデオ情報を含むデバイス等のディジタル外部データ供給源３００に結合し、少なくとも１つのディジタル外部データ供給源の出力を受け取ることができる。データプロセッサユニット２００上のビデオ出力ポート２０６ａを、ビデオモニタ等の外部出力デバイス４１０上の対応するポートに結合し、レコード上の位置に対応するオーディオ信号と同期化されたビデオデータを出力することができる。外部出力デバイス４１０は、聴衆又はユーザのいずれかに同期化されたビデオデータを出力するプログラムビデオモニタを含むものとすることができる。データプロセッサユニット２００上のビデオ出力ポート２０６ｂを、ビデオモニタ等の外部出力デバイス４５０上の対応するポートに結合し、例えばレコード上の位置に対応するオーディオ信号と同期化されていないビデオデータ、又は、同期化されているが閲覧されていないビデオデータ、又はまだ聴衆によって閲覧されていないビデオデータを出力することができる。従って、外部出力デバイス４５０をユーザが使用して、オーディオ信号と同期化させる前にビデオデータを見ることができる。データプロセッサユニット２００上のディジタルオーディオ出力ポート２０７を、スピーカ等の外部出力デバイス４２０上の対応するポートに結合し、レコード上の位置に対応するオーディオ信号と同期化させたオーディオ信号を出力することができる。データプロセッサユニット２００上のＭＩＤＩ出力ポート２０８を、ディジタル記録デバイス又はディジタル再生デバイス４４０上の対応するＭＩＤＩポートに結合し、レコード上の位置に対応するオーディオ信号と同期化させたディジタル外部データを記録し、及び／又は再生することができる。コントローラユニット１００上の出力ポート１０６を、データプロセッサユニット上の対応するミキサポート２０９に結合し、ディジタル化されたミキシング信号を制御ユニットからデータプロセッサユニット２００に通信することができる。データプロセッサユニット２００上のキーパッドポート２０３を、ユーザによるキーパッドからの信号を受け取るためにキーパッド５００に結合することができる。キーパッドからの信号は、ユーザがデータプロセッサユニット２００を操作することを可能にする。
【００２４】
本発明のこの態様では、外部出力デバイス４５０をデータプロセッサユニット２００に結合することができ、外部出力デバイス４５０は、ユーザが、再生される音声のオーディオ波形、外部出力の波形を見ることを可能にし、外部出力選択が使用される間にオプションの外部出力選択を走査し、ユーザが様々なユーザ機能を実行することを可能にする。更に、モニタは、プログラム、外部出力選択等のすばやい選択を可能にするために、接触感知式とし、及び／又はボタンを含むことができる。
【００２５】
本発明の原理によれば、上で説明した様々な構成要素が任意の適切な有線媒体又は無線媒体を介して信号を通信できるように、これらの構成要素を一緒に結合することができる。
【００２６】
図２に、本発明の一実施形態によるコントローラユニット１００を示す。
【００２７】
図２に示すように、ディジタル外部データ供給源の出力信号をアナログレコードからのオーディオと同期させるために、アナログレコード内の針位置を判定しなければならない。従って、コントローラユニット１００は、ターンテーブルアセンブリ１１０、トーンアームアセンブリ１２０、及びスキャナアセンブリを含むことができ、様々な種類のこれらの構成要素を、以下に更に詳細に説明する。
【００２８】
本発明の原理によれば、ターンテーブルアセンブリ１１０は、例えばスピンドル１１４を中心に回転可能なターンテーブルプラッタ１１２を含むことができる。
【００２９】
本発明の一態様では、図３Ａ及び３Ｂに示すように、ターンテーブルプラッタ１１２は、レコード（図示せず）を支持する支持表面１１１と、支持表面１１１の下で所定の深さにあるくぼんだ表面を有する中央部分１１３とを含むことができる。従って、レコード（図示せず）を、ターンテーブルプラッタ１１２によって回転されるように支持表面１１１上に配置することができる。スリップマット（図示せず）を、レコードと支持表面１１１の間に配置することができ、このスリップマットは、レコードの溝が受ける浸食の量を最小にしながら、ユーザがターンテーブルプラッタ１１２に関してレコードを回転することを可能にする。低摩擦材料として供給されるスリップマットを、ターンテーブルプラッタ１１２上にレコードを配置する前に支持表面１１１上に配置することができる。
【００３０】
本発明のまた別の態様では、図４Ａ〜４Ｂに示すように、ターンテーブル１１２は、環状凹窩１１５によって互いから離隔された、同心円状の外側リム１１２ａ及び内側リム１１２ｂを含むことができる。ターンテーブルプラッタ１１２の外径は、外側リム１１２ａの外側表面によって画定することができ、中央部分１１３の外径は、内側リム１１２ｂの内側表面によって画定することができ、環状凹窩１１５の内径及び外径は、それぞれ内側リム１１２ｂの外側表面及び外側リム１１２ａの内側表面によって画定することができる。本発明の一態様では、中央部分１１３の表面を、外側リム１１２ａ及び内側リム１１２ｂの上側表面の下にくぼませることができる。当然ながら、図４Ａ〜４Ｂに示されたターンテーブルプラッタ１１２は、レコードがその上で回転できる支持表面を含まない。従って、後述で更に詳細に説明するように、本発明の原理は、ターンテーブルプラッタ１１２に結合でき、ターンテーブルプラッタ１１２から分離できるモジュラスリップマットアセンブリを提供する。
【００３１】
図５Ａ〜５Ｂに示すように、本発明の第１実施形態によるスリップマットアセンブリ１５０は、例えば、上側部分１５０ｂに固定して結合された下側部分１５０ａを含むことができる。本発明の一態様では、下側部分１５０ａは、環状凹窩１１５内に挿入され、ターンテーブルプラッタ１１２に関してスピンドル１１４を中心に回転することができる。上側部分１５０ｂは、外側リム１１２ａ及び内側リム１１２ｂの上の実質的に平坦な支持表面１５１を含むことができる。
【００３２】
本発明の原理によれば、支持表面１５１の内径は、内側リム１１２ｂの内径と実質的に一致することができる。本発明の一態様では、支持表面１５１の外径は、外側リム１１２ａの外径と実質的に等しいかこれより大きくすることができる。接触表面１５２は、外側リム１１２ａ及び内側リム１１２ｂそれぞれの上側表面と接触することができ、スリップマットアセンブリ１５０をターンテーブルプラッタ１１２によって完全に支持することを可能にする。本発明の一態様では、接触表面１５２は、ターンテーブルプラッタ１１２に関するスリップマットアセンブリ１５０の動きを容易にする実質的に全ての材料及び構造を含むことができる。本発明の一態様では、スリップマットアセンブリ１５０の支持表面１５１は、例えば任意の適切な低摩擦材料（例えば、ウレタンに基づく材料）を含むことができる。本発明の代替的態様では、スリップマットアセンブリ１５０の支持表面は、例えば、従来のスリップマットよりレコードに関する摩擦係数の高い材料（例えば、ゴムを主成分とする材料）を含むことができる。本発明のまた別の態様では、スリップマットアセンブリの支持表面は、スリップマットアセンブリとレコードの間で生成される場合がある静電気を散逸するのに適した材料を含むことができる。本発明のまた別の態様では、支持表面１５１の周辺領域内に溝１５７を形成することができ、溝１５７は、従来のアナログレコードに似た形態（即ち、コントローラユニットのスタイラスがその表面上を移動する時に信号を作成するのに適切な形態）を含むことができる。
【００３３】
本発明の原理によれば、第１実施形態のスリップマットアセンブリ１５０は、例えば、キー１５４に結合された摩擦調整手段１５３を含むことができる。本発明の一態様では、摩擦調整手段１５３を選択的に操作して、外側リム１１２ａの内側表面全体に実質的に対称に力を掛けることができる。本発明の一態様では、支持表面１５１の下に配置されたキー１５４を使用して、摩擦調整手段１５３を可変に操作することができる。従って、スリップマットアセンブリ１５０、具体的には上側部分１５０ｂをターンテーブルプラッタ１１２に対して移動するのに必要な力の大きさを、摩擦調整手段１５３を操作することによって変更することができる。任意の数量のデバイス及び技術を実施して、摩擦調整手段１５３の機能を実行できる。例えば、図５Ｃに示すように、摩擦調整手段１５３は、下側部分１５０ａ内に形成された空洞１５３ｂ内に配置された複数の玉軸受１５３ａを含むことができる。複数の玉軸受は、空洞内からわずかに突き出して、外側リム１１２ａの内側の壁に接触することができる。空洞１５３ｂの上側壁１５３ｃを、実質的に均一に移動させることによって、複数の玉軸受１５３ａを均一に押すようにキー１５４に結合することができる。複数の玉軸受１５３ａを押すことによって、玉軸受の回転しやすさを制御することができ、これによって、ターンテーブルプラッタ１１２に対して環状凹窩１１５内でスリップマットアセンブリを回転させるのに必要な力の大きさが制御される。
【００３４】
本発明の原理によれば、第１実施形態のスリップマットアセンブリ１５０は、例えば、データプロセッサ／記憶ユニット１５８を含むことができる。本発明の一態様では、データプロセッサ／記憶ユニット１５８は、例えば、ＡＳＩＣ及びメモリユニット（例えば、ランダムアクセスメモリ（ＲＡＭ）、デュアルＲＡＭ、読取専用メモリ（ＲＯＭ）、ＥＥＰＲＯＭ等）を含むことができ、このＡＳＩＣ及びメモリユニットは、識別情報、書誌情報、寸法情報、及び外部データ情報を記憶して処理することができ、これらの情報については、後述で更に詳細に説明する。本発明のまた別の態様では、データプロセッサ／記憶ユニット１５８は、識別情報、書誌情報、寸法情報、及び外部データ情報をデータプロセッサユニット２００に送ることができる。従って、データプロセッサ／記憶ユニット１５８を備えた本発明のスリップマットアセンブリは、データプロセッサユニット２００と通信できると同時にアナログ信号及びディジタル信号を操作するユーザの能力を高めるポータブルデータ記憶デバイスとして使用することができる。
【００３５】
本発明の原理によれば、第１実施形態のスリップマットアセンブリ１５０は、例えば、データ伝送手段１５５を含むことができる。本発明の一態様では、データ伝送手段１５５は、データプロセッサ／記憶ユニット１５８からプロセッサユニット２００にデータを送ることができる。任意の数量のデバイス及び技術を実施して、データ伝送手段１５５の機能を実行できる。例えば、データ伝送手段１５５は、情報をデータプロセッサユニット２００に送ることができる適切な無線送信／受信デバイス（例えば、ＷｉＦｉデバイス又は類似物）を含むことができる。本発明のまた別の態様では、データ伝送手段１５５は、内側リム１１２ｂの外側表面に外接する導体リング（図示せず）と接触する導電材料を含むことができる。従って、この態様では、導体をデータプロセッサユニット２００に結合し、信号をデータ伝送手段１５５からデータプロセッサユニット２００に送ることができる。
【００３６】
本発明の原理によれば、第１実施形態のスリップマットアセンブリ１５０は、例えば、針下げインジケータ１５６を含むことができる。本発明の一態様では、針下げインジケータは、例えば支持表面１５１の下に配置された、タッチパネル１５６ａ及び複数の発光ダイオード（ＬＥＤ）１５６ｂを含むことができる。従って、支持表面１５１を、ＬＥＤが発する光に対して透明な適切な材料から形成することができる。本発明の一態様では、複数のＬＥＤ  １５６ｂを、複数の同心リングを形成するように配置することができる。しかし、所望の数のＬＥＤを配置できる。タッチパネル１５６ａ及び複数のＬＥＤ  １５６ｂは、データプロセッサ／記憶ユニット１５８と電気的に通信することができる。例えば、タッチパネル１５６ａは、接触信号をデータプロセッサ／記憶ユニット１５８に送ることができ、送られた接触信号は、物体（例えば、ユーザの指、スタイラス等）が支持表面１５１に接触する場所（即ち、接触点）を示す。具体的に言うと、接触信号は、接触点と支持表面１５１の中心（即ち、スピンドル１１４に対応する位置）との半径方向の距離を示すことができる。送られた接触信号の受取時に、データプロセッサ／記憶ユニット１５８は、接触点に対応して配置されたＬＥＤを選択的にアクティブ化又は非アクティブ化し、スリップマットアセンブリ上の接触点位置の視覚的確認をユーザに与えることができる。後述で更に詳細に述べるように、接触点は、レコードの溝に接触する従来のスタイラスに機能的に類似するものとすることができる。
【００３７】
本発明の一態様では、タッチパネル１５６ａは、任意の既知のテクノロジを使用して設けることができ、例えば、電極の２つのグループ、即ち、スピンドル１１４に対応する位置に共通の中心を有する複数の同心の円形電極の第１グループと、スピンドル１１４に対応する位置からスリップマットアセンブリの周辺に向かって放射状に、電極の第１グループと交差する複数の電極の第２グループとを含むことができる。電極の２つのグループは、データプロセッサ／記憶ユニット１５８と電気的に通信して、スピンドル１１４に対応する位置からの接触点の半径方向の距離を示すことができる。
【００３８】
図６Ａに示すように、本発明の第２の実施形態によるスリップマットアセンブリ１６０は、スリップマットアセンブリ１５０に関して上で説明したものとほぼ同様に構成することができるが、上側部分１６０ｂに移動可能に結合された下側部分１６０ａを含むことができる。従って、下側部分１６０ａを、環状凹窩１１５内に動かないように固定することができ、上側部分１６０ｂは、スピンドル１１４を中心に回転することができる。本発明の一態様で、下側部分１６０ａの表面形態には、例えば、図４Ａ〜４Ｂに示されたターンテーブルプラッタ１１２の表面形態の特色を有するキーを設けることができる（例えば、下側部分１６０ａに形成されるぺグを受ける穴を、環状凹窩１１５内に形成することができる）。
【００３９】
本発明の原理によれば、第２実施形態のスリップマットアセンブリ１６０は、例えば、摩擦調整手段１６３を含むことができる。本発明の一態様では、摩擦調整手段１６３を選択的に操作して、下側部分１６０ａと上側部分１６０ｂの間に力を掛けることができる。第１実施形態と同様に、下側部分１６０ａと上側部分１６０ｂとの力を、キー１５４を使用して摩擦調整手段１６３によって可変に働かせることができる。従って、下側部分１６０ａに対して、よってターンテーブルプラッタ１１２に対して上側部分１６０ｂを移動させるのに必要な力の大きさは、摩擦調整手段１６３を操作することによって変更することができる。任意の数量のデバイス及び技術を実施して、例えば図６Ｂに示された摩擦調整手段１６３の機能を実行できる。図６Ｂに示すように、下側部分１６０ａ及び上側部分１６０ｂを、下側部分１６０ａの下側タブ１６３ｂと上側部分１６０ｂの上側タブ１６３ｃの間に配置された複数の玉軸受１６３ａによって、互いに結合することができる。キー１５４を、下側タブ１６３ｂ及び上側タブ１６３ｃの一方又は両方に結合し、下側部分１６０ａに対して上側部分１６０ｂを実質的に均一に上げ又は下げることによって、複数の玉軸受１６３ａを均一に押すことができる。複数の玉軸受１６３ａを押すことにより、玉軸受の回転しやすさを制御することができ、これによって下側部分１６０ａに対して上側部分１６０ｂを回転させるのに必要な力の大きさが制御される。
【００４０】
本発明の原理によれば、第２実施形態のスリップマットアセンブリ１６０は、例えば、データ伝送手段１６５を含むことができる。第１実施形態のデータ伝送手段１５５と同様に、第２実施形態のデータ伝送手段１６５は、データプロセッサ／記憶ユニット１５８からプロセッサユニット２００にデータを送ることができる。任意の数量のデバイス及び技術を実施して、データ伝送手段１６５の機能を実行できる。例えば、データ伝送手段１６５は、情報をデータプロセッサユニット２００に送ることができる適切な無線送信／受信デバイス（例えば、ＷｉＦｉデバイス等）を含むことができる。本発明のまた別の態様では、データ伝送手段１６５は、下側部分１６０ａの導電性の表面上に形成される導体リング（図示せず）と接触する導電材料を含むことができる。従って、この態様では、導体リングをデータプロセッサユニット２００に電気的に結合し、信号をデータ伝送手段１６５からデータプロセッサユニット２００に送ることができる。
【００４１】
図２に示すように、両方の実施形態に関して上で述べたターンテーブルプラッタ１１２は、ターンテーブルプラッタ１１２と一体に形成し、ターンテーブルプラッタ１１２から下に延びる駆動ハブ１１６を含むベルト駆動ターンテーブルプラッタとして提供することができる。ベルト駆動アセンブリ１１８内に含まれる駆動シャフト１１８ａは、駆動ベルト１１７を介してターンテーブルプラッタ１１２に結合され、ターンテーブルプラッタ１１２を回転することができる。本発明のまた別の態様では、ターンテーブルプラッタ１１２を、電磁直接駆動型ターンテーブルプラッタとして提供することができる。従って、周知の手段によってターンテーブルプラッタ１１２を電磁駆動アセンブリ（図示せず）に結合し、これによって回転させることができる。ベルト駆動アセンブリ又は直接駆動アセンブリを使用して、時計回り又は反時計回りにターンテーブルプラッタ１１２を回転することができる（例えば、コントローラユニット内に配置された回転方向スイッチ（図示せず）によって通信される信号を介して）。
【００４２】
更に図２に示すように、トーンアームアセンブリ１２０は、トーンアーム１２４及びトーンアームピン１２６を介してコントローラユニット１００にピボット回転可能に結合されたカートリッジ１２２を含むことができる。トーンアームピン１２６は、例えば、スタイラス１２３を含むことができ、トーンアームピン１２６を、スピンドル１１４から第１の所定の距離ｄ１に配置することができる。スタイラス１２３は、ターンテーブルプラッタ１１２によって支持された既存アナログレコード上の溝の中を走り、溝の形態を感知することができる。このスタイラス１２３をカートリッジ１２２内に配置することができ、トーンアームピン１２６から第２の所定の距離ｄ２に位置決めすることができる。カートリッジ１２２は、一般に、スタイラス１２３によって感知された機械的振動をアナログ電気信号に変換する少なくとも１つの変換器を含む。更に、カートリッジ１２２は、後述で更に詳細に述べるように、これらのアナログ電気信号をサンプリングのためにデータプロセッサユニット２００に通信する。
【００４３】
トーンアームエンコーダ１２８を、コントローラユニット１００上で、スタイラス１２３がレコードの溝の中に配置された時にトーンアーム１２４に動作可能に接近して配置することができる。従って、トーンアームエンコーダ１２８に対するトーンアーム１２４の位置を、トーンアームエンコーダ１２８によって、周知の光学的方法、磁気的方法、又は機械式方法を介して検出することができる。
【００４４】
本発明の一態様で、トーンアームエンコーダ１２８は、周知の機械式方法、磁気的方法、又は光学的方法を介して、トーンアーム１２４、従ってスタイラス１２３が休止している時、即ち、スタイラスが物理的にレコードから離れている時を検出することもできる。従って、トーンアームエンコーダ１２８を、トーンアーム１２４が休止している時（即ち、スタイラスがレコードから離れている時）に、トーンアームエンコーダ１２８に対するトーンアーム１２４の位置を示す信号を生成するトーンアーム位置トリガとして使用することができる。
【００４５】
トーンアームアセンブリ信号、即ちアナログレコード上のスタイラス１２３の位置を示すために、トーンアームエンコーダ１２８に対するトーンアーム１２４の位置を示す信号と、トーンアーム１２４が休止している時を示す信号とを、トーンアームエンコーダ１２８から出力ポート１０２を介してデータプロセッサユニット２００に通信することができる。次に、トーンアームアセンブリ信号をデータプロセッサユニット２００が使用して、既存レコードの溝を通るスタイラスの進行を追跡することができる。トーンアームアセンブリ信号は、スタイラスが最初にレコードに接触する点（即ち、ドロップ点）の位置を決定するためにも使用することができる。従って、後述で更に詳細に述べるように、アナログオーディオ信号の一部分を、スタイラス１２３がその休止位置から移動した距離に関連付けることができる。
【００４６】
図７Ａ〜７Ｂに、本発明の一実施形態による第１スキャナアセンブリを示す。
【００４７】
図７Ａ及び７Ｂに示すように、第１スキャナアセンブリ１３０は、ターンテーブルプラッタ１１２の中央部分１１３内に配置することができる。更に、第１スキャナアセンブリ１３０を、スキャナ腕１３２を介してスピンドル１１４に結合することができる。第１スキャナアセンブリ１３０は、回転エンコーダ１３４及びスキャナ１３６を含むことができる。
【００４８】
図７Ｂに示すように、レコード６００がターンテーブルプラッタ１１２の支持表面１１１上に配置される時、そのレコードはスキャナ１３６の近接検出器１３６ｂと接触し、走査デバイス１３６ａをアクティブ化し、これによってスキャナ１３６の走査デバイス１３６ａが、レコード６００上に配置された識別情報を走査して検出することができる。
【００４９】
図７Ａ〜７Ｂに示されているように、回転エンコーダ１３４は、くぼんだ表面及びターンテーブルプラッタ１１２の支持表面によって支持される既存のレコード６００と接触する、柔らかいプラスチックから作られたローラーを含むことができる。スキャナ１３６は、例えば、バーコード、磁気ストリップ、及び類似物を読み取ることのできる光学スキャナ（例えば、ＬＥＤ、レーザー等）又は磁気種類の走査デバイス１３６ａと、ばねによって荷重を与えられたスイッチ及び類似物等の近接検出器１３６ｂとを含むことができる。
【００５０】
図７Ｃに示すように、回転エンコーダ１３４は、形状において球形のローラー１３４ａを含むことができる。球形ローラー１３４ａは、例えば、球形ローラー１３４ａの赤道に接触して、球形ローラーの回転の速さ及び向き、即ち速度を検出する少なくとも１つの車輪１３４ｃを含む円筒形ローラーハウジング１３４ｂに収納することができる。従って、既存のレコード６００がターンテーブルプラッタ１１２に置かれる時、球形ローラー１３４ａの上側の極が、レコードに接触する。
【００５１】
図７Ｄに示すように、本発明のまた別の態様では、回転エンコーダ１３４は、軸１３４ｆを介して車輪ハウジング１３４ｅに回転可能に接続された円錐形ローラー１３４ｄを含むことができる。車輪ハウジング１３４ｅは、円錐形ローラー１３４ｄの表面に接触し、円錐形ローラーの回転速度を検出する少なくとも１つの車輪１３４ｇを含む。従って、レコード６００がターンテーブルプラッタ１１２に置かれる時、円錐形ローラーの上側表面はレコードに接触する。
【００５２】
本発明のまた別の態様では、回転エンコーダ１３４は、上で説明したスキャナ１３６等のスキャナも含むことができる。従って、この態様では、図７Ａ及び７Ｂに示されたスキャナ１３６を除去することができ、この回転エンコーダ１３４は、レコード６００の瞬間回転速度（即ち、回転の速さ及び向き）の測定に加えて、バーコード、磁気ストリップ等の読み取りのできる光学スキャナ（例えば、ＬＥＤ、レーザー等）又は磁気種類の走査デバイスを含む回転識別スキャナとして設けることができる。
【００５３】
本発明の一態様では、ターンテーブルプラッタ１１２の中央部分１１３のくぼんだ表面は、スピンドル１１４を中心に回転する。従って、スピンドル１１４及び第１スキャナアセンブリ１３０は、固定された位置に留まり、回転エンコーダ１３４を使用してレコード６００の瞬間回転速度を検出できるようになっている。
【００５４】
本発明のまた別の態様では、中央部分１１３のくぼんだ表面は、スピンドル１１４を中心に回転しない。従って、スピンドル１１４及びスキャナアセンブリは、ターンテーブルプラッタ１１２の回転方向と反対の方向に回転することができ、回転エンコーダ１３４を使用してレコード６００の瞬間回転速度を検出することができる。
【００５５】
瞬間回転速度信号即ち、ターンテーブルプラッタ１１２の支持表面上のレコードの瞬間回転速度を示す信号を、回転エンコーダ１３４又は回転識別スキャナからデータプロセッサユニット２００に通信し、回転するターンテーブルプラッタ１１２によって支持されるアナログレコードの、スタイラス１２３に対する速さを判定することができる。
【００５６】
識別信号、即ち再生される既存レコードの識別を示す信号は、後述で更に詳細に述べるように、アナログレコードの寸法特性及び再生されるアナログレコードに固有の同期化情報の識別に使用するために、スキャナ１３６又は回転識別スキャナからデータプロセッサユニット２００に通信することができる。
【００５７】
ラベル信号、即ち実際のアナログレコード上の半径方向セグメント内の溝の一部分を識別する信号は、後述で更に詳細に述べるように、アナログレコード上に配置されたラベルがスキャナに動作可能に近接するたびに、前述のスキャナのいずれか（例えば、スキャナ１３６、レコードスキャナ１４６、又は回転識別スキャナ）によって生成することができる。ラベル信号は、データプロセッサユニット２００に通信され、後述で更に詳細に述べるように、スタイラスが最初にレコード上に配置された後で、データプロセッサユニット２００がスタイラスの位置を正確に示すことを可能にする。
【００５８】
図８に、本発明のもう１つの実施形態による第２スキャナアセンブリを示す。
【００５９】
図８に示すように、第２スキャナアセンブリ１４０は、レコードスキャナ１４６を含むことができる。第２スキャナアセンブリ１４０は、スキャナ腕１４２及びヒンジ１４４を介してコントローラユニット１００にピボット式に結合することができる。レコードスキャナ１４６は、バーコード、磁気ストリップ、及び類似物等を読み取ることができ、レコードの回転速度を測定することもできる、光学（例えば、ＬＥＤ、レーザー）スキャナ又は磁気種類の走査デバイスを含む回転識別型スキャナとして設けることができる。ヒンジ１４４は、スキャナ腕１４２をレコード（図示せず）の上で位置決めすることを可能にし、回転スキャナ１４６は、レコードがターンテーブルプラッタ１１２によって支持されている間にレコードに配置されたバーコード、磁気ストリップ等を読み取れる。
【００６０】
好ましい実施形態では、後述で更に詳細に述べるように、瞬間回転速度信号、識別信号、及びラベル信号を、ターンテーブルプラッタ１１２がユーザによって直接又は前述の駆動アセンブリのいずれかによって駆動される時のスタイラス１２３に対するレコードの相対的な速さの判定と、再生されているアナログレコードに固有の寸法特性及び同期化情報の識別とに使用するため、レコードスキャナ１４６からデータプロセッサユニット２００に通信することができる。
【００６１】
本発明の一態様で、トーンアームエンコーダ、第１スキャナアセンブリ、及び／又は第２スキャナアセンブリを、任意のコントローラユニットに周知の手段を介してしっかりと結合され、関連する瞬間回転速度信号、トーンアームアセンブリ信号、及びラベル信号をデータプロセッサユニット２００に通信できるモジュラ構成要素として設けることができる。
【００６２】
図７Ａ〜７Ｄ及び８は、図３Ａ〜３Ｂに示されたターンテーブルプラッタ１１２と共に使用されるスキャナアセンブリを説明するものであるが、前述のスキャナアセンブリと、前述のスリップマットアセンブリとを、図４Ａ〜４Ｂに示されたターンテーブルプラッタ１１２と共に使用することもできる。
【００６３】
図９に、本発明の原理によるデータプロセッサユニット２００を示す。
【００６４】
図９に示すように、データプロセッサユニット２００は、少なくとも１つのメディアドライブ２１０と、少なくとも１つのメモリユニット２１２と、コントローラユニット１００、ディジタル外部データ供給源３００、及び外部デバイス４００のうちの少なくとも１つと通信できる複数の入力ポート及び出力ポートとを有する標準パーソナルコンピュータ又は専用コンピュータを含むことができる。本発明の一態様では、少なくとも１つのメディアドライブは、ディジタルビデオディスク（ＤＶＤ）ドライブ、コンパクトディスク（ＣＤ  ＲＯＭ）ドライブ、内蔵ハードドライブ、ポータブルハードドライブ等を含むことができる。本発明の一態様では、少なくとも１つのメモリユニットは、ランダムアクセスメモリ（ＲＡＭ）、デュアルＲＡＭ、読取専用メモリ（ＲＯＭ）、ＥＥＰＲＯＭ等を含むことができる。本発明の一態様では、入力ポート及び出力ポートは、１つ又は複数のコントローラユニットと通信するために、ディジタルビデオ出力、モニタ出力、ディジタルオーディオ出力、ネットワーク通信接続（例えば、モデム、ＤＳＬ、Ｔ１等）、１つ又は複数のＳＣＳＩポート又はＵＳＢポート等を含む。本発明の一態様では、データプロセッサユニット２００は、ワードクロックプロセッサ２１４及びレコードデータベース２２０を含むこともできる。従って、データプロセッサユニット２００は、任意のＤＶＤ（又は任意の他の適切なビデオ／オーディオフォーマット）をＲＡＭ（又はより高速の選択のためにＲＯＭ）に格納し、複数のビデオを同時に実行し、ビデオをダウンロードし、プログラム又はオーディオ信号を表すほぼ全ての種類のデータ（即ちオーディオファイル）を格納することができる。
【００６５】
本発明の一態様では、データプロセッサユニット内に格納できるプログラムは、自動ロケータプログラム、波形整形プログラム、タイムフィラープログラム、及びアンチスキッププログラムを含むことができる。後述で更に詳細に述べるように、自動ロケータプログラムは、ユーザが、曲のトラック又はアナログレコードの溝内においてスタイラスの位置を決定することを可能にし、波形シェーパプログラムは、ユーザが、外部ディジタル供給源３００からの波形（即ちディジタル波形）とコントローラユニット１００からの波形（即ちアナログ波形）とを比較し、この２つの波形を一緒にロックし、アナログオーディオ波形が所定の長さの時間、例えば３０秒に亘って出力された後にディジタル波形の出力をキューイングすることを可能にし、タイムフィラープログラムは、再生されているレコードに関する外部出力情報がない時に、オーディオ波形にランダムな又は任意のいずれかのビデオ出力を供給し、アンチスキッププログラムは、コントローラユニット１００からのオーディオ信号を、そのコントローラユニットと同期化されたディジタルオーディオ供給源からのオーディオ信号に置換する。従って、アンチスキッププログラムは、例えばコントローラユニットのスタイラス１２３がレコードの溝をスキップするかジャンプする時に、アナログレコードからの曲を再生されたままにすることができる。
【００６６】
レコードには、溝内にオーディオ情報が埋め込まれた１つ又は２つの側面が含まれる場合があるので、レコードの各側面を一意に識別してデータベース情報の一意の組によって特徴を表すことができる。従って、レコードの各側面について、レコードデータベース２２０は、例えばそれぞれ識別情報、書誌情報、寸法情報、及び外部データ情報に関連するデータベース情報が含まれるデータベースフィールドを含む。
【００６７】
識別情報を、例えば、前述の走査デバイスのいずれかによって読取可能なラベル（例えば、バーコード、磁気ストリップ等）に含めることができる。本発明の一態様では、このラベルは、アナログレコード上に設けられるラベル区域内に配置することができる。後述で更に詳細に述べるように、ラベルは、スタイラスが最初にアナログレコードの溝の中に配置された後でスタイラスの位置を正確に決定するのに用いられる基礎をデータ処理ユニット２００に提供する。従って、ラベルは、アナログオーディオレコードの出力を外部ディジタルデータ供給源の出力と同期させるのを助ける。
【００６８】
書誌情報は、例えば、レコード及び／又はレコードの特定の側面の題名、アーティスト名、プロデューサ名、レコード会社名、レコードがその速さで再生されることを意図されている毎分回転数（ＲＰＭ）等に関する情報を含むことができる。書誌情報は、任意の既知の方法によってユーザインターフェース２２２を介してレコードデータベース２２０に入力することができる。
【００６９】
外部データ情報は、例えば、アナログレコードのオーディオ信号と同期化される外部データファイルの名前、その外部データファイルの供給源、例えばディジタル外部データ供給源、その外部データファイルのディジタル／アナログオーディオ／ビデオ波形等に関する情報を含むことができる。
【００７０】
寸法情報は、一般に、再生される既存アナログレコードの側面に見られる溝の形態（例えば、アナログ波形）を表す情報を含むことができる。
【００７１】
寸法情報は、基本的にレコードの各側面が、互いに垂直な２つの側壁を有する単一の螺旋状の溝からなることを認識することによって得ることができ、ここで、側壁は、音声が記録され、再生される２つのステレオチャネルを表す。無音、即ち空気の圧力変動の不在は、滑らかな側壁を有する溝形態によって表される。音声の瞬間は、側壁上に波を有する溝形態によって表すことができる。この波の振幅及び波長が、ビニールレコード内に埋め込まれるオーディオ信号の品質、例えば音量、ピッチ等と、コントローラユニット１００からデータプロセッサユニット２００に送られるオーディオ信号の品質と、最終的に気圧変動として特定の品質の音声を再生する外部デバイス、例えばスピーカに送られるオーディオ信号の品質とを決定する。溝が内側に向かって、アナログレコードの中央へと進むにつれて、側壁の波は圧縮されて、スタイラス１２３が溝の長さに沿って、例えば螺旋状の溝の外側から内側へと進行する時に発生するレコード表面速さの差を補償する。
【００７２】
従って、図１０に示すように、サンプリング処理でアナログレコードの波形マップを生成することによって、寸法情報を生成し、レコードデータベース内に格納することができる。一般に、レコードの側面の波形マップの生成は、ユーザによって開始される制作前ステップの一部とみなすことができる。
【００７３】
波形マップの生成において、データプロセッサユニット２００は、コントローラユニット１００から通信されたアナログオーディオ波形（例えば、アナログ波形）をサンプリングし、サンプリングされたアナログ波形の部分を、スタイラスがその休止位置から移動した距離を示すトーンアームアセンブリ信号の対応する値と相関させる。従って、波形マップは、まず既存のレコード６００をターンテーブルプラッタ１１２に置き、ターンテーブルプラッタ１１２を回転させ、スタイラスがその休止位置にある（例えば、レコードから離れている）時にトーンアームエンコーダを初期化し、スタイラス１２３をその休止位置から移動させ、スタイラス１２３を回転するレコード上の所定の位置（例えば、トラックの始め）に置き、溝側壁とのスタイラス１２３の相互作用によって生成されたアナログオーディオ波形をサンプリングし、サンプリングされたオーディオ波形をレコードデータベースに格納することによって、生成することができる。本発明の一態様によれば、スタイラスが休止位置にある時のトーンアームエンコーダの初期化では、トーンアームアセンブリが、従ってスタイラスが休止位置（例えば、「０」位置）にあることを示すトーンアームアセンブリ信号をデータプロセッサユニット２００に通信する。後述で更に詳細に述べるように、スタイラスの移動距離を示す全ての距離は、この休止位置に基づく。
【００７４】
本発明の一態様では、波形のサンプリング中に、スタイラス１２３が、溝の長さに沿って、例えば螺旋状の溝を回ってレコードの中央に向かって進む時、溝形態の側壁内の波が、速さを落としながらスタイラス１２３を過ぎて移動し（溝内の波の直線速さ又は接線速さは、スタイラス１２３の半径にレコードが回転する速さを乗じたものに比例する）、データプロセッサユニット２００は、アナログオーディオ波形が全体的に一定のレートでサンプリングされるように、徐々に増加するレートで、スタイラス１２３と溝側壁との相互作用によって生成されるオーディオ波形をサンプリングすることができる。
【００７５】
本発明の原理によれば、オーディオ波形のサンプリングが次第に増加するレートは、針位置と、レコードの表面が基礎ターンテーブル速さ（即ち、基礎サンプリングレート）でスタイラス１２３を過ぎて移動する時にデータプロセッサユニット２００がアナログ波形を生成する速さとに関する情報を使用して決定することができる。具体的には、オーディオ波形がサンプリングされるレートは、スピンドル１１４からのスタイラス１２３の瞬間半径方向距離ｒに反比例する。従って、任意の半径方向距離でのオーディオ波形のサンプリングレートは、基礎サンプリングレートに基づかなければならない。
【００７６】
本発明の一態様では、基礎サンプリングレートは、アナログレコードが回転する毎分回転数（ＲＰＭ）に従って入手することができる。ＲＰＭ値は、ユーザがデータプロセッサユニット２００に直接に入力することができる。本発明のまた別の態様では、基礎サンプリングレートは、前述の走査デバイスのいずれかを用いてラベルのＲＰＭを測定することによって入手することができる。本発明のまた別の態様では、基礎サンプリングレートは、ターンテーブルプラッタ１１２が回転している速さを示す信号をピッチコントローラ（図示せず）から受け取ることによって入手することができる。本発明のまた別の態様では、基礎サンプリングレートは、ターンテーブルプラッタ１１２に結合された（例えば、光学的に、電子的に、磁気的に、機械的に等）センサを使用してターンテーブルプラッタ１１２のＲＰＭを直接に測定することによって入手することができる。
【００７７】
本発明の原理によれば、瞬間半径方向距離ｒは、トーンアームエンコーダ１２８から通信されるトーンアームアセンブリ信号の値に対応する。トーンアームアセンブリ信号を受け取ると、データプロセッサユニット２００は、例えばスピンドル１１４とトーンアームピン１２６の間に見られる直線線分に対するトーンアーム１２４の瞬間角度位置９に関する情報を判定することができる。余弦法則を適用することによって、データプロセッサユニット２００は、スタイラス１２３が溝の長さを進む時の瞬間半径方向距離ｒ、よってオーディオ波形のサンプリングレートを、正確に判定することができる。従って、アナログオーディオレコードをサンプリングする際に、スタイラスの休止位置からの移動距離と、サンプリングされたアナログオーディオ波形のうち、その移動距離に固有の部分との暗黙の対応を、波形マップに格納することができる。
【００７８】
本発明の一態様では、スタイラスの移動距離（例えば、円弧の長さ）、スタイラスとトーンアームピンとの距離、及びトーンアーム１２４のスキャナに関する円弧の方位のうちの少なくとも１つに関連するトーンアームアセンブリ測定値に関する前述のスキャナのいずれかの位置を、波形マップの生成中に判定することができる。本発明のまた別の態様では、前述の測定値を、データプロセッサユニット２００に通信することができる。
【００７９】
本発明の一態様では、ラベル信号は、ラベルが前述のスキャナのいずれかに動作可能に接近している時、スキャナによってアナログオーディオレコードのサンプリング中に生成される。ラベルがスキャナに動作可能に接近するたびに（例えば、回転時に、ラベルが最初にスキャナによって読取可能になる時）、ラベル信号が、データプロセッサユニット２００に通信され、従って、ラベル点が波形マップ上でマークされる。波形マップ上のラベル点の位置は、各ラベル信号の通信時にスタイラスが移動した距離に対応し、後述で更に詳細に述べるように、アナログレコードの溝内におけるスタイラスの位置決定を容易にすることができる。従って、アナログレコードからアナログオーディオ信号をサンプリングする際に、スタイラスがその休止位置から移動した距離と少なくとも１つのラベル点との前述のトーンアームアセンブリ測定値のいずれかに基づく暗黙の対応を、波形マップ内で生成することができる。
【００８０】
波形マップがレコードデータベース２２０内で生成された後で、サンプリングされたアナログオーディオ波形の同期化情報を同期化マップ内に生成することができる。
【００８１】
本発明の一態様では、波シェーパプログラムを使用して同期化マップを生成することができる。例えば、波シェーパプログラムは、外部ディジタル供給源からのディジタル出力信号（例えば、ビデオ、オーディオ等）をアナログレコードと同期させるために波形マップ内のアナログ波形の少なくとも２つの部分（即ち、「同期化点」）をサンプリングし、これらの同期化点を波形マップ上でマークすることができる。しかしながら、アナログ波形からサンプリングされる同期化点が多いほど同期化マップが正確になり、従ってアナログ波形とディジタル波形との同期化が正確になる。
【００８２】
次に、波形マップ上でアナログ波形からの同期化点をマークし、外部ディジタル供給源からの出力（即ち、ディジタル波形）の対応する部分と突き合わせることにより、ディジタル波形をアナログ波形と同期させることができる。本発明の一態様では、この突合せは、手動で（例えば、ユーザが開始する）又は自動的に（例えば、プロセッサが開始する）実行することができる。
【００８３】
ディジタル波形の対応する部分とアナログ波形の同期化点との手動による突合せでは、アナログ波形の一部分（例えば、始め）の第１同期化点（即ち、「開始点」）を選択して波形マップ上でマークし、ディジタル波形の対応する部分と突き合わせることができる。次に、アナログ波形の少なくとも１つの次の同期化点を選択してマークし、ディジタル波形の適切な対応する部分と突き合わせる。ディジタル波形の対応する部分にアナログ波形の同期化点を突き合わせる処理は、アナログ波形と同期化されるディジタル波形の数量に応じて、必要なだけ何回でも繰り返すことができる。本発明の一態様では、波形マップ内に複数のアナログ波形が存在する場合（例えば、アナログオーディオレコードに複数のトラックがある場合）、複数の「開始点」及び続く同期化点のグループを選択することができる。
【００８４】
ディジタル波形の対応する部分とアナログ波形の部分の自動突合せでは、データプロセッサユニット２００は、ディジタル波形のビート毎分（ＢＰＭ）を計算し、例えばアナログ波形の最初の２つの小節をサンプリングし、アナログ波形のサンプリングされた部分をディジタル波形の計算されたＢＰＭと突き合わせることができる。その後、データプロセッサユニット２００は、波形マップ上で少なくとも１つの開始点をマークし、その開始点をディジタル波形の対応する部分と位置合せし、アナログ波形及びディジタル波形の適当な終了点を計算し、波形マップ上で終了点をマークする。
【００８５】
本発明の一態様では、アナログ波形上及びディジタル波形上の、この２つの波形のビートが一致する同期化点をマークするために、ビートスタンピングを実行することができる。
【００８６】
本発明のまた別の態様では、波形マップの生成対象であるアナログレコードを、「データギブン」レコードとして提供することができる。「データギブン」レコードとは、所定のディジタル波形に固有のキューイング情報を含むレコードである。従って、「データギブン」レコードから生成された波形マップ上の少なくとも１つの同期化点（例えば、開始点）を、所定のディジタル波形の対応する部分に突き合わせることができる。
【００８７】
同期化マップの生成は、特定のアナログ波形の同期化点の全てが、ディジタル波形の対応する部分と突き合わされて、波形マップにマークされた時点で完了する。完成した同期化マップ即ち、本質的にコントローラユニット１００からのアナログ信号の実際の波形を有さないマークされた波形マップをデータプロセッサユニット２００に格納し、サンプリングされたアナログレコードと同時にディジタル波形を出力するため、必要に応じて再呼出しすることができる。従って、特定のアナログレコードの同期化マップは、休止位置からのスタイラスの移動距離に関するラベル点及び同期化点の位置を記述する情報を含む。従って、特定のアナログレコードについて、後述で更に詳細に述べるように、ラベル信号と、スタイラスが休止位置から移動した距離を示すトーンアームアセンブリ信号の値とに従って、アナログ波形と同時のディジタル波形の出力を制御することができる。
【００８８】
本発明の原理によれば、後述で更に詳細に述べるように、アナログレコードが将来に追加のディジタル波形と同期化されるかどうかに応じて、又は元の波形がディジタルデバイス上で再生されるかどうかに応じて、元の波形マップを削除するか、レコードデータベース２２０に格納することができる。
【００８９】
アナログレコードが処理された（例えば、ディジタル波形を同期させる基礎を提供するために、ラベル付けされ、サンプリングされ、分析され、マークされた）場合、アナログレコードの回転速度又は針位置に関係なく、同期化マップが生成された１つ又は複数の外部ディジタルデータ供給源と同時にそのアナログレコードを再生することが可能である。
【００９０】
本発明の原理によれば、処理されたアナログレコードを、そのアナログレコードのサンプリングに使用されたものと同一のコントローラユニット（即ち、発信元コントローラユニット）上又はそのアナログレコードをサンプリングするのに使用されなかったコントローラユニット（即ち、非発信元コントローラユニット）上の外部ディジタルデータ供給源からの所定のディジタル波形と同時に再生することができる。更に、様々な波形のサンプリング、同期化等に発信元コントローラユニットと共に使用されるデータプロセッサユニットを、本明細書では発信元データプロセッサユニットと呼称する場合がある。
【００９１】
本発明の一態様では、処理されたレコードを再生するコントローラユニットに固有の前述のトーンアームアセンブリ測定値に対する前述の走査デバイスのいずれかの位置は、波形マップの生成中のトーンアームアセンブリに対するスキャナの位置と実質的に同一とすることができる。本発明のまた別の態様では、処理されたレコードを再生するコントローラユニットに固有のトーンアームアセンブリ測定値に対する前述の走査デバイスの位置は、波形マップの生成中のトーンアームアセンブリに対するスキャナの位置と異なるものとすることができる。本発明のまた別の態様では、処理されたレコードを再生するコントローラユニットに固有のトーンアームアセンブリ測定値に対する前述の走査デバイスのいずれかの位置を、波形マップの生成中に通信されるトーンアームアセンブリ測定値に対する前述の走査デバイスの位置に相関させることができる。従って、波形マップの生成中に存在した走査デバイスとスタイラスとの元の空間的関係を、処理されたレコードの再生中に残しておくことができる。本発明の一態様では、元の空間的関係を、前述の走査デバイスのいずれかと、処理されたレコードの再生中に使用されるスタイラスとの空間的関係を使用して判定することができる。
【００９２】
本発明の一態様では、処理されたレコードを所定のディジタル波形と同時に再生するコントローラユニット１００は、発信元コントローラユニットとすることができる。従って、処理されたレコードを、ターンテーブルプラッタ１１２上に配置して回転させることができる。処理されたレコードが回転する時、瞬間回転速度信号及びラベル信号が、生成される。レコードのラベル付けされた区域に動作可能に接近した時、第１スキャナアセンブリ又は第２スキャナアセンブリは、ラベルを走査して、少なくとも１つの所定のディジタル波形と同時に再生されようとしているアナログレコードの特定の側面に固有の識別情報を判定することができる。存在するスキャナの種類（例えば、第１スキャナアセンブリ又は第２スキャナアセンブリからのスキャナ）に応じて、レコードの特定の側面のラベルを、スタイラス１２３に実際に接触するレコードの側面と同一の側面又は反対の側面に配置できる。識別情報の判定の後に、書誌情報及び所定の同期化マップが判定される。
【００９３】
その後、トーンアームエンコーダを初期化することができ、スタイラスを、処理されたレコードの溝内の任意の位置に配置することができる。
【００９４】
最初に溝内にスタイラス１２３を配置する際に、トーンアームエンコーダに対するトーンアーム１２４の位置を示すトーンアームアセンブリ信号を、データプロセッサユニット２００に通信することができる。しかし、溝内のスタイラスの正確な位置は、少なくとも１つのラベル信号がデータプロセッサユニット２００に通信され、自動ロケータプログラムによって処理されるまでは判定することができない。通信されたラベル信号を考慮してトーンアームアセンブリ信号を処理することにより、処理されたレコードの溝内のスタイラスの正確な位置を判定することができる。
【００９５】
例えば、スタイラスが処理されたレコードの溝内の任意の位置に配置され、処理されたレコードを回転させながらアナログオーディオ信号を生成する場合、生成されたアナログ信号は、そのアナログレコードの同期化マップの基礎を提供したアナログ波形と実質的に同一になる。従って、所定のディジタル波形は、生成されたアナログオーディオ信号に、データプロセッサユニット２００を介して自動的に同期化される。
【００９６】
しかしながら、処理されたレコードの溝内に配置されたスタイラスが操作され（例えば、ターンテーブルプラッタが、「スクラッチされる」、増速される、減速される等）、生成されるアナログオーディオ信号が、同期化マップの基礎を提供したアナログ波形と異なるものになる場合、データプロセッサユニット２００は、前述のスキャナのいずれかによって通信される瞬間回転速度信号を使用して、レコードの針位置を正確に判定することができる。
【００９７】
従って、レコード上のスタイラスの最後の既知の位置が分かっているので、スタイラスが休止位置から移動した最後の既知の距離、従って同期化マップのアクティブ部分、及び出力される所定のディジタル波形の最後の既知の部分も分かっている。ユーザ操作の時の直前の処理されたレコードの瞬間回転速度がわかっているので、ユーザ操作の直前の針位置でのレコード表面の速度も、スタイラスのその休止位置からの距離に関連する情報を介して判明する。従って、レコードの速度がユーザによって変更される時、データプロセッサユニット２００は、スタイラスのその休止位置からの距離を計算することができ、同期化マップ内の針位置を判定できる。従って、瞬間回転速度信号を使用することによって、ディジタル波形を、ユーザが操作する制御ユニットによって作られたアナログオーディオ信号と同時に出力することができる。
【００９８】
本発明のまた別の態様では、処理されたアナログレコードを所定のディジタル波形と同時に再生するコントローラユニット１００を、非発信元ユニットとすることができる。従って、発信元データプロセッサユニットを、非発信元コントローラユニット内の適当な出力ポートに結合することができる。処理されたレコードのアナログオーディオ信号を、非発信元コントローラユニット上の所定のディジタル信号と同時に出力することができ、この非発信元コントローラユニットは、前述のトーンアームエンコーダ及び第１又は第２のスキャナアセンブリを含んでも含まなくてもよい。非発信元コントローラユニットが、トーンアームエンコーダ及びスキャナアセンブリを全く含まない場合には、欠けている構成要素を然るべく補充することができる。
【００９９】
その後、それに関する同期化マップが発信元コントローラユニットを使用して既に作成されている、本質的に上で説明した形で処理されたアナログレコード（即ち、較正レコード）を、非発信元コントローラユニットのターンテーブル上に配置し、回転させることができる。較正レコードが回転する時、瞬間回転速度信号及びラベル信号が生成される。較正レコードのラベル付けされた区域に動作可能に接近した時、第１スキャナアセンブリ又は第２スキャナアセンブリは、ラベルを走査して、較正レコードの特定の側面に固有の識別情報を判定することができる。
【０１００】
トーンアームエンコーダが初期化され、非発信元コントローラユニットのスタイラスが較正レコード上に（例えば、較正レコードの始めに）配置された後、トーンアームアセンブリ信号及びラベル信号が通信され、発信元データプロセッサユニット２００によって処理される。通信されたラベル信号及びトーンアームアセンブリ信号を使用して、発信元データプロセッサユニット２００は、スタイラスが非発信元コントローラユニット上で休止位置から移動した距離に対して測定されたラベル点の新しい組を生成する。従って、較正レコードの発信元同期化マップと較正レコードの非発信元同期化マップとの対応を生成することができる。例えば、発信元コントローラユニットを使用して判定された、ラベル点とスタイラスが移動した様々な距離との関係を、非発信元コントローラユニットを使用して判定された、ラベル点とスタイラスが移動した様々な距離との関係に相関させることができる。次に、この相関を、所定のディジタル波形と同時に非発信元コントローラユニット上で再生される、発信元コントローラユニットによって既に処理されたレコードのいずれにも適用することができる。
【０１０１】
較正レコードが、非発信元コントローラユニットで再生され、相関が、発信元データプロセッサユニットによって判定された後、発信元コントローラユニットを使用して処理された任意のレコードからの任意のアナログオーディオ信号を、非発信元コントローラユニットを使用して所定のディジタル波形と同時に出力することができる。
【０１０２】
本発明の原理によれば、スリップマットアセンブリの溝１５７を、本質的に上述したものと同様にして処理でき、機能性において上で説明した較正レコードと同様に使用することができる。従って、第１実施形態又は第２実施形態のスリップマットアセンブリを使用する時、実質的に上述したものと同様に、溝１５７について波形マップを生成することができる。その後、この波形マップを使用して、スタイラスが移動した距離をアナログ波形の所定の部分に相関させることができる。
【０１０３】
全てのレコードが、スピンドル１１４を挿入できる同一サイズの穴を有するわけではないことに留意されたい。例えば、穴が大きすぎる場合、レコードの半径方向の動きが、針位置とサンプリングされたアナログオーディオ波形との対応を有害に破壊する場合がある。本発明の原理によれば、回転速度を検出できる前述のスキャナは、再生されているレコードの全ての外来の半径方向の動きを補償する信号をデータプロセッサユニット２００に送ることができ、これによって、針位置とサンプリングされたアナログオーディオ波形との対応が保存される。
【０１０４】
上述のように、本発明の原理は、コントローラユニットで再生されるアナログレコードを操作することによって、外部ディジタル信号を直接制御することを可能にする。しかし、本発明の別の実施形態によれば、外部ディジタル信号を、アナログレコードではなく前述のスリップマットアセンブリの操作によって直接且つ直観的に制御することができる。
【０１０５】
そのような操作では、オーディオファイルを、識別情報、書誌情報、寸法情報、及び外部データ情報と共にデータプロセッサ／記憶ユニット１５８に格納し、このオーディオファイルにデータプロセッサ／記憶ユニット１５８を介してアクセスすることができる。ユーザは、例えば、任意の適切な手段を介して、データプロセッサユニット２００に送られる格納されたオーディオファイルを選択することができる。次に、外部ディジタル信号を含む、選択されたオーディオファイルに対応する信号を、データプロセッサユニット２００から前述の外部出力デバイスのいずれにも出力することができる。本発明の原理によれば、これらの信号の出力を、後述で更に詳細に述べるように、前述のスリップマットアセンブリのいずれか１つを操作することによって制御することができる。
【０１０６】
第１実施形態では、上述の針下げインジケータ１５６により、ユーザは、選択されたオーディオファイルの出力、よって外部ディジタル信号の出力を制御することができる。例えば、データプロセッサ／記憶ユニット１５８は、タッチパネル１５６ａの異なる半径方向セグメントを、選択されたオーディオファイルの異なる部分に割り当てることができる。従って、接触点を生成する時に、タッチパネル１５６ａからデータプロセッサ／記憶ユニット１５８に送られる接触信号は、データプロセッサ２００に、選択されたオーディオファイルの特定の部分を出力させることができる。上述のように、データプロセッサ２００と共に針下げインジケータ１５６を使用することによって、ユーザは、選択されたオーディオファイルのうち、生成された接触点に対応する部分だけを選択的に出力することができる。選択されたオーディオファイルが出力されている間に、接触点を半径方向に沿って内側又は外側に移動することにより、ユーザは、例えば、接触点が半径方向に沿って移動される速さに対応する速さで、選択されたオーディオファイルの出力を早送りするか、又は巻き戻すことができる。
【０１０７】
第２実施形態では、ユーザは、第２スキャナアセンブリと共に前述のスリップマットアセンブリのいずれかを使用することによって、選択されたオーディオファイルの出力、よって外部ディジタル信号の出力を制御することができる。例えば、レコードスキャナ１４６に光学スキャナを装備し、レコードスキャナ１４６を、支持表面１５１の上に配置することができる。選択されたオーディオファイルが、データプロセッサ２００によって出力される時、ユーザは、スリップマットアセンブリを回転させることにより、レコードスキャナ１４６に、対応する瞬間回転速度信号をデータプロセッサユニット２００に送らせることができる。次に、送られた瞬間回転速度をデータプロセッサユニット２００が使用して、選択されたオーディオファイルを逆順で出力するか否かを制御することができる。送られた瞬間回転速度信号をデータプロセッサユニット２００が使用して、選択されたオーディオファイルが出力される速さを制御することもできる。例えば、ユーザが、スリップマットアセンブリを時計回りに回転する場合に、瞬間回転速度信号は、データプロセッサ２００に、選択されたオーディオファイルの出力を早送りさせることができる。逆に、ユーザがスリップマットアセンブリを反時計回りに回転させる場合、瞬間回転速度信号は、データプロセッサ２００に、選択されたオーディオファイルの出力を逆転させることができる。
【０１０８】
支持表面１５１の内径は、内側リム１１２ｂの内径に実質的に一致させることができるので、第１スキャナアセンブリ１３０は、選択されたオーディオファイルの出力を制御するために第１及び第２の実施形態のスリップマットアセンブリと共に使用するのに適切でない場合がある。しかし、この問題は、支持表面１５１の内径より大きい寸法を有する適切に粗い／非反射性の材料を配置することによって克服することができる。
【０１０９】
しかしながら、第２実施形態による選択されたオーディオファイルの出力を制御する方法を、図３Ａ及び３Ｂに示されたターンテーブルプラッタを使用して達成することもでき、この場合、オーディオファイルを、データプロセッサ／記憶ユニット１５８ではなくデータプロセッサ２００に直接に格納することができる。第２実施形態に従って選択されたオーディオファイルの出力を制御する時には、選択されたスリップマットアセンブリ内の摩擦調整手段を、下側部分１５０ａと外側リム１１２ａの間（第１実施形態のスリップマットアセンブリの場合）又は下側部分１６０ａと上側部分１６０ｂの間（第２実施形態のスリップマットアセンブリの場合）に最小限の力を掛けるように設定しなければならない。
【０１１０】
本発明の趣旨又は範囲から逸脱せずに、本発明に様々な修正形態及び変形形態を作ることができることは当業者に明白であろう。従って、特許請求の範囲及びその均等物の範囲内で、本発明は、本発明の修正形態及び変形形態を含む。例えば、レコードの各側面に関する識別情報は、何らかの種類の走査デバイスによって読取可能なラベルとして与えられるが、各レコード側面に関する識別情報を、周知の手段によってデータプロセッサユニット２００に直接に入力することもできる。
【図面の簡単な説明】
【０１１１】
【図１】レコードの表面上の位置に固有のオーディオ情報を同期させる本発明の原理による装置を示す。
【図２】本発明の一実施形態によるコントローラユニットを示す。
【図３】Ａ及びＢは本発明の一実施形態によるターンテーブルプラッタを示す。
【図４】Ａ及びＢは本発明の別の実施形態によるターンテーブルプラッタを示す。
【図５】Ａ〜Ｃは、本発明の一実施形態によるスリップマットアセンブリを示す。
【図６】Ａ及びＢは、本発明の別の実施形態によるスリップマットアセンブリを示す。
【図７】Ａ及びＢは、本発明の一実施形態による第１スキャナアセンブリを示し、Ｃ及びＤは、本発明の異なる実施形態による回転エンコーダを示す。
【図８】本発明の別の実施形態による第２スキャナアセンブリを示す。
【図９】本発明の原理によるデータプロセッサユニットを示す。
【図１０】寸法情報をレコードデータベースに入力できる方法を示す。
【図１】
2008533632.tif 000003
【図２】
2008533632.tif 000004
【図３Ａ】
2008533632.tif 000005
【図３Ｂ】
2008533632.tif 000006
【図４Ａ】
2008533632.tif 000007
【図４Ｂ】
2008533632.tif 000008
【図５Ａ】
2008533632.tif 000009
【図５Ｂ】
2008533632.tif 000010
【図５Ｃ】
2008533632.tif 000011
【図６Ａ】
2008533632.tif 000012
【図６Ｂ】
2008533632.tif 000013
【図７Ａ】
2008533632.tif 000014
【図７Ｂ】
2008533632.tif 000015
【図７Ｃ】
2008533632.tif 000016
【図７Ｄ】
2008533632.tif 000017
【図８】
2008533632.tif 000018
【図９】
2008533632.tif 000019
【図１０】
2008533632.tif 000020
【国際調査報告】
2008533632.tif 000021